(57)【要約】      （修正有）【課題】地震等の緊急災害時においても、加圧のための動力を確保することができ、持ち運びに適した携帯性を有する、逆浸透膜浄水装置を提供する。【解決手段】持ち運び可能なケース内に収納されてユニット化した逆浸透膜式浄水装置であって、原水を吸水すると共に、当該吸水した原水を逆浸透膜フィルタに圧送する加圧ポンプと、上記圧送された原水を、逆浸透現象により濾過して、不純物が除去された透過水と不純物が残留する濃縮水とに分離する逆浸透膜フィルタと、上記加圧ポンプと電気的に接続すると共に、車両に設けられているシガーソケットに着脱可能に嵌挿されて、当該車両に搭載されたバッテリーに電気的に接続されるプラグ部材と、を有し、上記プラグ部材は、上記車両に搭載されたバッテリーから、加圧ポンプに駆動電力を供給することを特徴とする逆浸透膜浄水装置。【選択図】図３
0003122170.tif 000002
【実用新案登録請求の範囲】
【請求項１】
持ち運び可能なケース内に収納されてユニット化した逆浸透膜式浄水装置であって、
原水を吸水すると共に、当該吸水した原水を逆浸透膜フィルタに圧送する加圧ポンプと、
上記圧送された原水を、逆浸透現象により濾過して、不純物が除去された透過水と不純物が残留する濃縮水とに分離する逆浸透膜フィルタと、
上記加圧ポンプと電気的に接続すると共に、車両に設けられているシガーソケットに着脱可能に嵌挿されて、当該車両に搭載されたバッテリーに電気的に接続されるプラグ部材と、を有し、
上記プラグ部材は、上記車両に搭載されたバッテリーから、加圧ポンプに駆動電力を供給する、
ことを特徴とする逆浸透膜浄水装置。
【請求項２】
持ち運び可能なケース内に収納されてユニット化した逆浸透膜式浄水装置であって、
原水を吸水すると共に、当該吸水した原水を逆浸透膜フィルタに圧送する加圧ポンプと、
上記圧送された原水を、逆浸透現象により濾過して、不純物が除去された透過水と不純物が残留する濃縮水とに分離する逆浸透膜フィルタと、を有し、
上記加圧ポンプは、手又は足で押す又は踏むことで、内部に設けられている空間を、圧縮、膨張させて原水の吸水及び圧送を行う、
ことを特徴とする逆浸透膜浄水装置。
【請求項３】
上記加圧ポンプにより吸水された原水、又は上記逆浸透膜フィルタにより濾過された透過水中の不純物を吸着除去する、一又は複数のカーボンフィルタ、を有する、
請求項１又は２記載の逆浸透膜浄水装置
【請求項４】
上記加圧ポンプにより吸水された原水、又は上記逆浸透膜フィルタにより濾過された透過水に紫外線を照射することにより殺菌処理をする紫外線照射装置、を有する、
請求項１乃至３いずれかの項に記載の逆浸透膜浄水装置。
【請求項５】
上記逆浸透膜フィルタは、複数設けられている、
請求項１乃至４いずれかの項に記載の逆浸透膜浄水装置。
【考案の詳細な説明】
【技術分野】
【０００１】
本考案は、逆浸透現象を利用した浄水装置に係り、詳しくは、地震等の緊急災害の状況下において、加圧のための動力を確保し、携帯性に優れた逆浸透膜浄水装置に関する。
【背景技術】
【０００２】
近年、水道水等の原水に含まれるトリハロメタン等の有害な発ガン性物質や重金属、バクテリア等の最近などを除去できる浄水装置として、逆浸透膜浄水器が提供されている。この逆浸透膜浄水器は、溶液と溶媒を逆浸透膜で隔てて、溶液側に溶液の浸透圧より高い圧力をかけたときに、通常の浸透とは逆に溶液中の溶媒分子が逆浸透膜を通って溶媒側に移動する逆浸透現象を利用して、当該逆浸透膜を装着した逆浸透膜フィルタを介して上記有害物質等の不純物が除去された透過水と該不運物を含む分離水とに分離処理するものであり、処理された透過水は、料理用や飲料用として有効利用される。
【０００３】
このような逆浸透現象を利用した浄水器の従来例の一つとして、逆浸透膜フィルタを備えた浄水部と、使用するユーザにより開閉操作される開閉弁と、開閉弁より供給された原水を逆浸透膜フィルタに圧送するポンプ部と、逆浸透膜フィルタの透過水を貯水タンクを経由することなく直接吐水口より供給する吐水部とにより構成された浄水器が提案されている（特許文献１参照）。
【０００４】
【特許文献１】特開２００４−１７０１６号公報
【０００５】
この逆浸透膜浄水器によれば、直接飲むには適さない川水等であっても、浄化処理によって、当該川水等に含まれる不順物質を９５％以上の割合で除去して飲み水とすることができるので、飲み水等の生活用水の確保が困難な緊急災害時には有用である。
【０００６】
しかしながら、逆浸透膜浄水器は、原水を逆浸透膜に透過させるために加圧する必要があるため、当該加圧のための動力源を必要とする。また、逆浸透膜浄水器は、通常、逆浸透膜フィルタのほかに、カーボンフィルタや加圧ポンプなどを備えるため、コンパクトでない上に重く、持ち運びには適さない。そのため、電気の供給がストップするなどして動力の確保が困難であったり、屋外の避難場所等を移動したりしなければならない上記緊急災害時等には、従来の逆浸透膜浄水器は好適とはいえなかった。
【考案の開示】
【考案が解決しようとする課題】
【０００７】
そこで、本考案は、地震等の緊急災害時においても、加圧のための動力を確保することができ、持ち運びに適した携帯性を有する、逆浸透膜浄水装置を提供することを目的とする。
【課題を解決するための手段】
【０００８】
上記目的を達成するため、本考案に係る逆浸透膜浄水装置は、持ち運び可能なケース内に収納されてユニット化した逆浸透膜式浄水装置であって、原水を吸水すると共に、当該吸水した原水を逆浸透膜フィルタに圧送する加圧ポンプと、上記圧送された原水を、逆浸透現象により濾過して、不純物が除去された透過水と不純物が残留する濃縮水とに分離する逆浸透膜フィルタと、上記加圧ポンプと電気的に接続すると共に、車両に設けられているシガーソケットに着脱可能に嵌挿されて、当該車両に搭載されたバッテリーに電気的に接続されるプラグ部材と、を有し、上記プラグ部材は、上記車両に搭載されたバッテリーから、加圧ポンプに駆動電力を供給することを特徴とする。
原水とは、川水や、緊急時のために風呂やプール等に溜め置かれた水など、細菌類や有機物質等の不純物を含んで、飲料水とするには好ましくないものをいう。
これにより、電力の確保が困難な地震等の緊急災害時においても、車両に搭載されたバッテリーから電力を供給して加圧ポンプを動作させて、川水やプール等に溜め置かれた水から飲料用等の生活用水を得ることができる。また、装置が持ち運び可能なケース内に収納されてユニット化しているので、持ち運びに優れ、便利である。
【０００９】
本考案の別の実施形態に係る逆浸透膜浄水装置は、持ち運び可能なケース内に収納されてユニット化した逆浸透膜式浄水装置であって、原水を吸水すると共に、当該吸水した原水を逆浸透膜フィルタに圧送する加圧ポンプと、上記圧送された原水を、逆浸透現象により濾過して、不純物が除去された透過水と不純物が残留する濃縮水とに分離する逆浸透膜フィルタと、を有し、上記加圧ポンプは、手又は足で押す又は踏むことで、内部に設けられている空間を、圧縮、膨張させて原水の吸水及び圧送を行うことを特徴とする。
これにより、電力の確保が不可能な状況においても、人の力を利用して、加圧ポンプを動作させて、川水やプール等に溜め置かれた水から飲料用等の生活用水を得ることができる。
【００１０】
上記逆浸透膜浄水処置は、上記加圧ポンプにより吸水された原水、又は上記逆浸透膜フィルタにより濾過された透過水中の不純物を吸着除去する、一又は複数のカーボンフィルタ、を有するものとしてもよい。
これにより、逆浸透膜フィルタではできない塩素等の不純物を除去することができる。
【００１１】
また、上記加圧ポンプにより吸水された原水、又は上記逆浸透膜フィルタにより濾過された透過水に紫外線を照射することにより殺菌処理をする紫外線照射装置、を有するものとしてもよい。
これにより、逆浸透膜フィルタやカーボンフィルタで除去できずに原水中に残った菌を殺菌することができる。
【００１２】
また、上記逆浸透膜フィルタは、複数設けられていてもよい。
これにより、処理量を増加させることができる。
【考案の効果】
【００１３】
電力の確保が困難な、地震等の緊急災害時においても、車両から電源を確保したり、人の力を使ったりして加圧ポンプを動かして、浄水処理を行うことができる。
また、装置がユニット化されているため、収納ケース内に収納して持ち運ぶことができて便利である。
【考案を実施するための最良の形態】
【００１４】
以下、本考案の実施の形態に係る逆浸透膜浄水装置について図を用いて説明する。
図１は、逆浸透膜浄水装置１を収納した収納ケース１００の外観を示した斜視図である。
図１に示すように、逆浸透膜浄水装置１は、未使用時には収納ケース１００に収納されており、自由に持ち運ぶことができる。
【００１５】
続いて、図２及び図３を用いて本実施形態に係る逆浸透膜浄水装置１の使用例について説明する。
図２は、本実施形態に係る逆浸透膜浄水装置１の電力を車両に搭載されたバッテリーから確保して使用する場合の概略を示す図である。なお、電力は屋内のコンセントからとることも可能である。
図３は、本実施形態に係る逆浸透膜浄水装置１の詳細な構成を示した平面図である。
図３に示すように、逆浸透膜浄水装置１を使用するときには、収納ケース１００を開けて所定のパーツを接続して利用する。
以下、逆浸透膜浄水装置１の各パーツについて詳細に説明する。
逆浸透膜浄水装置１は、吸水口２を備えるカーボンフィルタ３、加圧ポンプ４、逆浸透膜フィルタ６、７、流量調整弁８、ポストカーボンフィルタ９、紫外線照射装置１０、これらを接続すると共に原水を送水させる送水管１１、１２、１３、１５、１６、逆浸透膜フィルタ６、７により分離された濃縮水を排出する排水管１４、最終的な清浄水を吐出する吐水管１７、加圧ポンプ４及び紫外線照射装置１０に駆動電力を供給するためのアダプタ２０、電力調整器２１、インバータ２３、プラグ部材２４、及びこれらを電気的に接続するコード２６、２７からなる。
【００１６】
送水管１１、１２、１３、１５、１６はその両端部を、排水管１４及び吐水管１７は逆浸透膜フィルタ６あるいは紫外線照射装置１０側の端部を、カーボンフィルタ３、加圧ポンプ４、逆浸透膜フィルタ６、７、ポストカーボンフィルタ９、あるいは紫外線照射装置１０と取り外し可能に接合させることができる。接合部は、嵌合構造若しくはネジ構造等とすることができる。
送水管１１、１２、１３、１５、１６、排水管１４、及び吐水管１７を外した状態では、カーボンフィルタ３、紫外線照射装置１０、インバータ２３及びプラグ部材２４をケース本体１００ｂ内に収め、ケース蓋部１００ａを閉じて、当該ケース１００により持ち運ぶことができる。
なお、送水管１１、１２、１３、１５、１６、排水管１４、吐水管１７は、本実施例では、ゴム等の樹脂製のチューブであるが、金属製の管等とすることもできる。
【００１７】
吸水口２は、逆浸透膜浄水装置１内に原水を取り入れるための口であり、カーボンフィルタ３の一端部に設けられている。
また、カーボンフィルタ３は、いわゆる活性炭濾過を行うもので、原水に含まれる塩素やクロラミン等の有機化合物を主に濾過する。このカーボンフィルタ３は、送水管１１を介して加圧ポンプ４に接続している。
【００１８】
加圧ポンプ４は、吸水口２を介して川やプール等から原水を吸水するため、及び、逆浸透膜フィルタ６、７に原水を送水するための圧力を生じさせるポンプである。
加圧ポンプ４は、送水管１２を介して、並設された逆浸透膜フィルタ６、７に接続している。
圧力計５は、加圧ポンプ４により逆浸透膜フィルタ６、７に圧送される原水にかかる圧力を計測して表示する計器である。
【００１９】
逆浸透膜フィルタ６、７は、加圧ポンプ４により圧送された原水中のトリハロメタンやダイオキシンなどの不純物を除去する逆浸透膜を備えたフィルタであり、微細な膜孔（膜孔径約０．０００１〜０．００１μｍ）を有し、逆浸透膜を透過して精製された透過水と、上記不純物が残存した濃縮水と分離処理する。
逆浸透膜の素材としては、酢酸セルロース系、ポリアミド系、架橋ポリアミン系、架橋ポリエーテル系、スルホン化ポリスルホン等の素材を用いることができる。また、膜のエレメント構造としては、スパイラル型、中空糸型、チューブラー型などとすることができる。
本実施形態では、この逆浸透膜フィルタ６、７は二本並列に設けられており、最終的な透過水量を増大させることができる。
逆浸透膜フィルタ６、７は、逆浸透膜フィルタ６により分離された濃縮水が送水される排水管１３により接続していると共に、二股に分岐する三叉形状の送水管１５を介してポストカーボンフィルタ９と接続する。
また、逆浸透膜フィルタ７は、濃縮水を逆浸透膜浄水装置１外へ排出するための排水管１４と接続している。
【００２０】
流量調整弁８は、逆浸透膜フィルタ６、７から排水される濃縮水の排出量を調整する弁であり、逆浸透膜フィルタ７と排水管１４の接続する位置に取り付けられている。
圧力計５及び流量調整弁８により、逆浸透膜フィルタ６、７内の逆浸透膜に送水される原水の圧力を調整することができる。
【００２１】
ポストカーボンフィルタ９は、逆浸透膜フィルタ６、７により分離された透過水に含まれる微量の臭気等を活性炭濾過するものであり、送水管１６を介して紫外線照射装置１０に接続する。
【００２２】
紫外線照射装置１０は、原水に紫外線を照射して殺菌処理を行う。紫外線装置９は、図３に示すように、透過水の流入口９２と流出口９３とを備えた中空状のＵＶ管９１と、他端が蓋体９４に固定され、ガラス管９６に封入されたＵＶ殺菌灯９５からなる。また、ＵＶ殺菌灯９５は、蓋部９４から伸びるコード２７により駆動電力を確保できるようになっている。
殺菌処理は、ＵＶ管９１内を通過する透過水に、ＵＶ殺菌灯９５を点灯させることにより行われる。
紫外線照射装置１０は、紫外線照射による殺菌処理を経た清浄水を逆浸透膜浄水装置１外へ吐水するための吐水管１７と接続している。
【００２３】
交流電流を直流電流に変換するアダプタ２０、電力調整器２１、通電のオン・オフを切り替えるスイッチ２２、電流の周波数を変化あるいは調整するインバータ２３、及びプラグ部材２４は、電源コード２６、２７を介して加圧ポンプ４及び紫外線照射装置１０に電気的に接続する。なお、電源コード２６、２７の一端は、夫々差込プラグ２６ａ、２７ａを有し、インバータ２３に差し込むことで電気的に接続するようになっている。
プラグ部材２４は、車両に設けられたシガーソケットに着脱可能に嵌挿されて、当該車両に搭載されたバッテリーに電気的に接続する。
【００２４】
次に、本実施形態に係る逆浸透膜浄水装置１の使用例について説明する。
本実施例に係る逆浸透膜浄水装置１は、未使用時には、送水管１１、１２、１３、１５、１６、排水管１４、吐水管１７を外した上でケース１００内に収納されており、使用する場合には、これらを加圧ポンプ４、逆浸透膜フィルタ６、７、ポストカーボンフィルタ９、紫外線照射装置１０に接続させる。そして、加圧ポンプ４及び紫外線照射装置１０をそれぞれコード２６、２７を介してインバータに接続した上、プラグ部材２４を車両内のシガーソケットに差し込む。
【００２５】
上記の通り準備が完了した後、例えば、水が溜め置かれたプールやバケツから取水する場合には、吸水口２を当該プール又はバケツの水中に沈め、スイッチ２２をオンにして加圧ポンプ４を始動させる。
これにより、吸水口２から原水が吸水され、当該原水がカーボンフィルタ３に送水される。そして、カーボンフィルタ３により、塩素やクロラミン等の有機化合物等がカーボンフィルタ３に吸着・除去される。
【００２６】
カーボンフィルタ３を通過した原水は送水管１１を介して、加圧ポンプ４に吸い上げられた後、送水管１２を介して逆浸透膜フィルタ６、７に圧送される。このように圧送されることで、逆浸透膜フィルタ６、７内の逆浸透膜に浸透圧以上の圧力が加圧ポンプ４側からかかり、逆浸透現象が起きて、原水が、逆浸透膜を透過してトリハロメタンやダイオキシン等の有機不純物を取り除かれた透過水と、当該細菌類や有機不純物が残存した濃縮水とに分離される。
【００２７】
透過水は、送水管１３を介してポストカーボンフィルタ９に送水され、残留する微量の臭気等を除去された後、更に、送水管１６を介して紫外線照射装置１０に送水される。
一方、逆浸透膜フィルタ６により分離された濃縮水は送水管１５を介して逆浸透膜フィルタ７に送水され、逆浸透膜フィルタ７内において分離された濃縮水と共に排水管１４を介して逆浸透膜浄水装置１外に排水される。
【００２８】
紫外線照射装置１０に送水された透過水は、紫外線による殺菌処理を受けた後、吐水管１７より清浄水として吐水される。
【００２９】
これにより、不純物を含んだ原水を、飲料用としても利用できる清浄水とすることができる。
【００３０】
上記実施例に係る逆浸透膜浄水装置１においては、加圧ポンプ４を、車両のシガーソケットから供給した電力により駆動するものとしたが、本考案の別の実施例においては、図５に示すように、これを足踏み式又は手押し式の加圧ポンプとすることができる。
【００３１】
即ち、本実施例における足踏み式の加圧ポンプは、内部に、膨張及び圧縮が可能であって、水を蓄えることができる貯水空間を有しており、当該貯水空間には、吸水する一端部に吸水口が、送水する一端部に送水口が設けられている。更に、吸水口には上記貯水空間の膨張時に開弁する吸水側逆止弁を、送水口には上記貯水空間の圧縮時に開弁する送水側逆止弁を夫々備えている。
そして、当該加圧ポンプを用いて足踏み又は手押しを繰り返すことで、当該加圧ポンプ内の空気の圧縮、膨張が連続的に行われ、上記貯水空間の膨張時に原水を吸水する一方、圧縮時に原水を逆浸透膜フィルタに圧送することができる。
【図面の簡単な説明】
【００３２】
【図１】本考案の実施の形態に係る逆浸透膜浄水装置を収納した収納ケースの外観を示す斜視図である。
【図２】本考案の実施の形態に係る逆浸透膜浄水装置において、加圧ポンプの動力を車両のバッテリーから確保する例の概略を示す図である。
【図３】本考案の実施の形態に係る逆浸透膜浄水装置を示した平面図である。
【図４】本考案の実施の形態に係る紫外線照射装置を示した分解平面図である。
【図５】本考案の実施の形態に係る逆浸透膜浄水装置において、加圧ポンプの動力を足踏み又は手押しにより確保する例の概略を示す図である。
【符号の説明】
【００３３】
１・・・逆浸透膜浄水装置、２・・・吸水口、３・・・カーボンフィルタ、４・・・加圧ポンプ、５・・・圧力計、６・・・逆浸透膜フィルタ、７・・・逆浸透膜フィルタ、８・・・流量調整弁、９・・・ポストカーボンフィルタ、１０・・・紫外線照射装置、１１・・・送水管、１２・・・送水管、１３・・・送水管、１４・・・排水管、１５・・・送水管、１６・・・送水管、１７・・・吐水管、２０・・・アダプタ、２１・・・電力調整器、２２・・・スイッチ、２３・・・インバータ、２４・・・プラグ部材、２５・・・コード、２６・・・コード、２６ａ・・・差込プラグ、２７・・・コード、２７ａ・・・差込プラグ、９１・・・ＵＶ管、９２・・・流入口、９３・・・流出口、９４・・・蓋体、９５・・・ＵＶ殺菌灯、９６・・・ガラス管、１００・・・収納ケース、１００ａ・・・ケース蓋部、１００ｂ・・・ケース本体、
【図１】
0003122170.tif 000003
【図２】
0003122170.tif 000004
【図３】
0003122170.tif 000005
【図４】
0003122170.tif 000006
【図５】
0003122170.tif 000007